(57)【要約】【課題】音響調整卓の信号処理のパラメータを細分化してパラメータ変更を行うことができるパラメータ設定機能拡張装置を提供すること。【解決手段】音響調整卓１０と通信を行う第１の通信手段１１０、パラメータ設定装置２０と通信を行う第２の通信手段１２０、音響調整卓１０によって施される複数の信号処理のうち１つの対象信号処理を選択させる信号処理選択手段１３０、音響調整卓１０によって信号処理が施される音声信号のうち１つ以上の対象音声信号を選択させる音声信号選択手段１４０、対象音声信号に施される対象信号処理のパラメータを一括して変更するパラメータ一括変更情報を入力させる一括変更情報入力手段１５０、対象信号処理のパラメータを音声信号ごとに変更するパラメータ信号別変更情報を入力させる信号別変更情報入力手段１６０、およびパラメータ信号別変更情報を格納する信号別変更情報格納手段１７０によって構成される。【選択図】  図１
2004198520.tif 000002
【特許請求の範囲】
【請求項１】
複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記複数のチャンネルより入力された音声信号のうち１つ以上の対象音声信号を選択させる音声信号選択手段と、前記対象音声信号に施される前記対象信号処理のパラメータを一括して変更するパラメータ一括変更情報を入力させる一括変更情報入力手段とを備え、前記第１の通信手段が前記パラメータ一括変更情報を前記音響調整卓に送信することによって前記音響調整卓の前記対象信号処理のパラメータが前記パラメータ一括変更情報に基づいて変更され、前記第２の通信手段が前記パラメータ一括変更情報を前記パラメータ設定装置に送信することによって前記パラメータ設定情報が前記パラメータ一括変更情報に基づいて変更されるようにしたことを特徴とするパラメータ設定機能拡張装置。
【請求項２】
複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記対象信号処理のパラメータを前記複数のチャンネルより入力された音声信号ごとに変更するパラメータ信号別変更情報を入力させる信号別変更情報入力手段と、前記パラメータ信号別変更情報を格納する信号別変更情報格納手段とを備え、前記第１の通信手段が前記パラメータ信号別変更情報を前記音響調整卓に送信することによって前記対象信号処理のパラメータが前記パラメータ信号別変更情報に基づいて変更され、前記第２の通信手段が前記パラメータ信号別変更情報を前記パラメータ設定装置に送信することによって前記パラメータ設定情報が前記パラメータ信号別変更情報に基づいて変更されるようにしたことを特徴とするパラメータ設定機能拡張装置。
【請求項３】
複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記複数のチャンネルより入力された音声信号のうち１つ以上の対象音声信号を選択させる音声信号選択手段と、前記対象音声信号に施される前記対象信号処理のパラメータを一括して変更するパラメータ一括変更情報を入力させる一括変更情報入力手段と、前記対象信号処理のパラメータを前記複数のチャンネルより入力された音声信号ごとに変更するパラメータ信号別変更情報を入力させる信号別変更情報入力手段と、前記パラメータ信号別変更情報を格納する信号別変更情報格納手段とを備え、前記第１の通信手段が前記パラメータ一括変更情報および前記パラメータ信号別変更情報の何れかの情報を前記音響調整卓に送信することによって前記音響調整卓の前記対象信号処理のパラメータが前記パラメータ一括変更情報および前記パラメータ信号別変更情報の何れかの情報に基づいて変更され、前記第２の通信手段が前記パラメータ一括変更情報および前記パラメータ信号別変更情報の何れかの情報を前記パラメータ設定装置に送信することによって前記パラメータ設定情報が前記パラメータ一括変更情報および前記パラメータ信号別変更情報の何れかの情報に基づいて変更されるようにしたことを特徴とするパラメータ設定機能拡張装置。
【請求項４】
前記信号別変更情報入力手段が、前記信号別変更情報格納手段に格納されたパラメータ信号別変更情報を呼出し、前記第１の通信手段が呼出されたパラメータ信号別変更情報を前記音響調整卓に送信することによって前記対象信号処理のパラメータが呼出されたパラメータ信号別変更情報に基づいて変更され、前記第２の通信手段が呼出されたパラメータ信号別変更情報を前記パラメータ設定装置に送信することによって前記パラメータ設定情報が呼出されたパラメータ信号別変更情報に基づいて変更されるようにしたことを特徴とする請求項２または請求項３に記載のパラメータ設定機能拡張装置。
【請求項５】
前記音響調整卓によって前記複数のチャンネルより入力された音声信号が複数のグループにグループ化され、前記複数のグループにグループ化された音声信号ごとに複数のグループ信号処理が施され、前記パラメータ設定情報が前記複数のグループ信号処理のパラメータを前記複数のグループにグループ化された音声信号ごとに設定する情報を含む場合に、前記対象信号処理が前記複数のチャンネル信号処理および前記複数のグループ信号処理のうちから選択され、前記対象信号処理が前記複数のグループ信号処理のうちから選択された場合には前記対象音声信号が前記複数のグループにグループ化された音声信号のうちから選択されるようにしたことを特徴とする請求項１または請求項３に記載のパラメータ設定機能拡張装置。
【請求項６】
前記音響調整卓によって前記複数のチャンネルより入力された音声信号が複数のグループにグループ化され、前記複数のグループにグループ化された音声信号ごとに複数のグループ信号処理が施され、前記パラメータ設定情報が前記複数のグループ信号処理のパラメータを前記複数のグループにグループ化された音声信号ごとに設定する情報を含む場合に、前記対象信号処理が前記複数のチャンネル信号処理および前記複数のグループ信号処理のうちから選択され、前記対象信号処理が前記複数のグループ信号処理のうちから選択された場合には、前記パラメータ信号別変更情報が、前記対象信号処理のパラメータを前記複数のグループにグループ化された音声信号ごとに変更する情報よりなるようにしたことを特徴とする請求項２乃至請求項４の何れかに記載のパラメータ設定機能拡張装置。
【請求項７】
前記音響調整卓によって前記複数のグループにグループ化された音声信号が複数のマトリクスにグループ化され、前記複数のマトリクスにグループ化された音声信号ごとに複数のマトリクス信号処理が施され、前記パラメータ設定情報が前記複数のマトリクス信号処理のパラメータを前記複数のマトリクスにグループ化された音声信号ごとに設定する情報を含む場合に、前記対象信号処理が前記複数のチャンネル信号処理、前記複数のグループ信号処理および前記複数のマトリクス信号処理のうちから選択され、前記対象信号処理が前記複数のマトリクス信号処理のうちから選択された場合には前記対象音声信号が前記複数のマトリクスにグループ化された音声信号のうちから選択されるようにしたことを特徴とする請求項５に記載のパラメータ設定機能拡張装置。
【請求項８】
前記音響調整卓によって前記複数のグループにグループ化された音声信号が複数のマトリクスにグループ化され、前記複数のマトリクスにグループ化された音声信号ごとに複数のマトリクス信号処理が施され、前記パラメータ設定情報が前記複数のマトリクス信号処理のパラメータを前記複数のマトリクスにグループ化された音声信号ごとに設定する情報を含む場合に、前記対象信号処理が前記複数のチャンネル信号処理、前記複数のグループ信号処理および前記複数のマトリクス信号処理のうちから選択され、前記対象信号処理が前記複数のグループ信号処理のうちから選択された場合には、前記パラメータ信号別変更情報が、前記対象信号処理のパラメータを前記複数のマトリクスにグループ化された音声信号ごとに変更する情報よりなるようにしたことを特徴とする請求項６に記載のパラメータ設定機能拡張装置。
【請求項９】
前記信号処理選択手段によって選択される前記対象信号処理が、音声信号の振幅値を０にするか否かの選択処理よりなるようにしたことを特徴とする請求項１乃至請求項８の何れかに記載のパラメータ設定機能拡張装置。
【請求項１０】
前記信号処理選択手段によって選択される前記対象信号処理が、音声信号の音量調整処理よりなるようにしたことを特徴とする請求項１乃至請求項８の何れかに記載のパラメータ設定機能拡張装置。
【請求項１１】
前記信号処理選択手段によって選択される前記対象信号処理が、音声信号の周波数帯域ごとのレベル調整処理よりなるようにしたことを特徴とする請求項１乃至請求項８の何れかに記載のパラメータ設定機能拡張装置。
【請求項１２】
前記信号処理選択手段によって選択される前記対象信号処理が、音声信号のダイナミクスの調整処理よりなるようにしたことを特徴とする請求項１乃至請求項８の何れかに記載のパラメータ設定機能拡張装置。
【請求項１３】
前記信号処理選択手段によって選択される前記対象信号処理が、音声信号に音量調整処理と周波数帯域ごとのレベル調整処理とダイナミクスの調整処理とのうちの少なくとも１つ以上の調整処理が施される前の音声信号を検聴するか否かの選択処理よりなるようにしたことを特徴とする請求項１乃至請求項８の何れかに記載のパラメータ設定機能拡張装置。
【請求項１４】
前記信号処理選択手段によって選択される前記対象信号処理が、音声信号に音量調整処理と周波数帯域ごとのレベル調整処理とダイナミクスの調整処理とのうちの少なくとも１つ以上の調整処理が施された後の音声信号を検聴するか否かの選択処理よりなるようにしたことを特徴とする請求項１乃至請求項８の何れかに記載のパラメータ設定機能拡張装置。
【請求項１５】
前記信号処理選択手段によって前記複数のチャンネル信号処理のうちから選択される前記対象信号処理が、音声信号を前記複数のグループのうち何れのグループにグループ化させるかの選択処理よりなるようにしたことを特徴とする請求項５乃至請求項８の何れかに記載のパラメータ設定機能拡張装置。
【請求項１６】
前記信号処理選択手段によって前記複数のグループ信号処理のうちから選択される前記対象信号処理が、音声信号を前記複数のマトリクスのうち何れのマトリクスにグループ化させるかの選択処理よりなるようにしたことを特徴とする請求項７乃至請求項８の何れかに記載のパラメータ設定機能拡張装置。
【請求項１７】
前記信号処理選択手段によって前記複数のマトリクス信号処理のうちから選択される前記対象信号処理が、前記複数のマトリクスにグループ化させる音声信号を何れのチャンネルより入力され何れのグループにグループ化された音声信号とするかの選択処理よりなるようにしたことを特徴とする請求項７乃至請求項８の何れかに記載のパラメータ設定機能拡張装置。
【発明の詳細な説明】
【０００１】
【発明の属する技術分野】
本発明は、音響調整卓の細分化されたパラメータ変更をすることができるパラメータ設定機能拡張装置に関するものである。
【０００２】
【従来の技術】
従来、この種の音響調整卓システムとして、図６に示されたものが知られている。
【０００３】
図６は、従来のパラメータ設定機能拡張装置の構成を示すブロック図である。
従来の音響調整卓システム９００は、外部装置９３０によって入力された音声信号に信号処理を施して外部装置９３０に出力する音響調整卓９１０、および音響調整卓９１０のパラメータ設定情報を入力するパラメータ設定装置９２０によって構成される。
【０００４】
音響調整卓９１０は、例えば、複数のチャンネルより入力されたそれぞれの音声信号に複数の信号処理を施し、複数のチャンネルより入力された音声信号を複数のグループにグループ化してグループ化された音声信号ごとに複数の信号処理を施すようになっている。
【０００５】
パラメータ設定装置９２０は、グラフィカルユーザインターフェイスを備え、グラフィカルユーザインターフェイスを介してユーザに各チャンネルおよび各グループの各信号処理の全てのパラメータの設定を表すパラメータ設定情報を生成するようになっている。
また、パラメータ設定装置９２０は、生成されたパラメータ設定情報を保存し、保存されたパラメータ設定情報を呼出すようにもなっている。
【０００６】
前述のように構成された音響調整卓システム９００において、パラメータ設定装置９２０によって生成および保存されたパラメータ設定情報に基づいて音響調整卓９１０の各チャンネルおよび各グループの各信号処理の全てのパラメータが設定されるようになっていた。
【０００７】
なお、かかる先行技術は、文献公知発明に係るものでないため、記載すべき先行技術文献情報はない。
【０００８】
【発明が解決しようとする課題】
しかしながら、このような従来の音響調整卓システム９００では、パラメータ設定情報に基づいて音響調整卓９１０の各チャンネルおよび各グループの各信号処理の全てのパラメータを設定することができるが、音響調整卓９１０の信号処理のパラメータを細分化してパラメータ変更を行うことができないだけでない、各パラメータ設定値をライブラリとして保存することはできるが複数チャンネルの同時設定ができないという問題があった。
【０００９】
本発明はこのような問題を解決するためになされたもので、従来の音響調整卓システムに容易に付加することができ、音響調整卓の信号処理のパラメータを細分化してパラメータ変更を行うことができるパラメータ設定機能拡張装置を提供するものである。
【００１０】
【課題を解決するための手段】
本発明のパラメータ設定機能拡張装置は、複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記複数のチャンネルより入力された音声信号のうち１つ以上の対象音声信号を選択させる音声信号選択手段と、前記対象音声信号に施される前記対象信号処理のパラメータを一括して変更するパラメータ一括変更情報を入力させる一括変更情報入力手段とを備え、前記第１の通信手段が前記パラメータ一括変更情報を前記音響調整卓に送信することによって前記音響調整卓の前記対象信号処理のパラメータが前記パラメータ一括変更情報に基づいて変更され、前記第２の通信手段が前記パラメータ一括変更情報を前記パラメータ設定装置に送信することによって前記パラメータ設定情報が前記パラメータ一括変更情報に基づいて変更されるようにした構成を有している。
【００１１】
この構成により、各チャンネルに入力された音声信号のうちから選択された音声信号に施される選択された信号処理のパラメータを一括して変更する情報を入力させるため、音響調整卓の特定の信号処理のパラメータを特定のチャンネルに入力された音声信号に限定して同時にパラメータ変更を行うことができる。
【００１２】
また、本発明のパラメータ設定機能拡張装置は、複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記対象信号処理のパラメータを前記複数のチャンネルより入力された音声信号ごとに変更するパラメータ信号別変更情報を入力させる信号別変更情報入力手段と、前記パラメータ信号別変更情報を格納する信号別変更情報格納手段とを備え、前記第１の通信手段が前記パラメータ信号別変更情報を前記音響調整卓に送信することによって前記対象信号処理のパラメータが前記パラメータ信号別変更情報に基づいて変更され、前記第２の通信手段が前記パラメータ信号別変更情報を前記パラメータ設定装置に送信することによって前記パラメータ設定情報が前記パラメータ信号別変更情報に基づいて変更されるようにした構成を有している。
【００１３】
この構成により、音響調整卓の信号処理のうちから選択された信号処理のパラメータを各チャンネルに入力された音声信号ごとに変更する情報を入力させ格納するため、音響調整卓の全ての信号処理の全てのパラメータの設定を表すパラメータ設定情報を格納するよりも少ないデータ量のパラメータ情報を個別に格納し管理することができる。
【００１４】
また、本発明のパラメータ設定機能拡張装置は、複数のチャンネルより入力された音声信号のそれぞれに複数のチャンネル信号処理を施す音響調整卓と通信を行う第１の通信手段と、前記複数のチャンネル信号処理のパラメータを前記複数のチャンネルより入力された音声信号ごとに設定するパラメータ設定情報を生成および保持するパラメータ設定装置と通信を行う第２の通信手段と、前記複数のチャンネル信号処理のうち１つの対象信号処理を選択させる信号処理選択手段と、前記複数のチャンネルより入力された音声信号のうち１つ以上の対象音声信号を選択させる音声信号選択手段と、前記対象音声信号に施される前記対象信号処理のパラメータを一括して変更するパラメータ一括変更情報を入力させる一括変更情報入力手段と、前記対象信号処理のパラメータを前記複数のチャンネルより入力された音声信号ごとに変更するパラメータ信号別変更情報を入力させる信号別変更情報入力手段と、前記パラメータ信号別変更情報を格納する信号別変更情報格納手段とを備え、前記第１の通信手段が前記パラメータ一括変更情報および前記パラメータ信号別変更情報の何れかの情報を前記音響調整卓に送信することによって前記音響調整卓の前記対象信号処理のパラメータが前記パラメータ一括変更情報および前記パラメータ信号別変更情報の何れかの情報に基づいて変更され、前記第２の通信手段が前記パラメータ一括変更情報および前記パラメータ信号別変更情報の何れかの情報を前記パラメータ設定装置に送信することによって前記パラメータ設定情報が前記パラメータ一括変更情報および前記パラメータ信号別変更情報の何れかの情報に基づいて変更されるようにした構成を有している。
【００１５】
この構成により、各チャンネルに入力された音声信号のうちから選択された音声信号に施される選択された信号処理のパラメータを一括して変更する情報を入力させるため、音響調整卓の特定の信号処理のパラメータを特定のチャンネルに入力された音声信号に限定して同時にパラメータ変更を行うことができ、さらに、音響調整卓の信号処理のうちから選択された信号処理のパラメータを各チャンネルに入力された音声信号ごとに変更する情報を入力させ格納するため、音響調整卓の全ての信号処理の全てのパラメータの設定を表すパラメータ設定情報を格納するよりも少ないデータ量のパラメータ情報を個別に格納し管理することができる。
【００１６】
また、本発明のパラメータ設定機能拡張装置は、前記信号別変更情報入力手段が、前記信号別変更情報格納手段に格納されたパラメータ信号別変更情報を呼出し、前記第１の通信手段が呼出されたパラメータ信号別変更情報を前記音響調整卓に送信することによって前記対象信号処理のパラメータが呼出されたパラメータ信号別変更情報に基づいて変更され、前記第２の通信手段が呼出されたパラメータ信号別変更情報を前記パラメータ設定装置に送信することによって前記パラメータ設定情報が呼出されたパラメータ信号別変更情報に基づいて変更されるようにした構成を有している。
【００１７】
この構成により、音響調整卓の信号処理のうちから選択された信号処理のパラメータを各チャンネルに入力された音声信号ごとに変更する情報を入力し格納するため、音響調整卓の全ての信号処理の全てのパラメータの設定を表すパラメータ設定情報を格納するよりも少ないデータ量のパラメータ情報を個別に格納し管理することができ、さらに、格納された情報を呼出し音響調整卓に送信することもできる。
【００１８】
また、本発明のパラメータ設定機能拡張装置は、前記音響調整卓によって前記複数のチャンネルより入力された音声信号が複数のグループにグループ化され、前記複数のグループにグループ化された音声信号ごとに複数のグループ信号処理が施され、前記パラメータ設定情報が前記複数のグループ信号処理のパラメータを前記複数のグループにグループ化された音声信号ごとに設定する情報を含む場合に、前記対象信号処理が前記複数のチャンネル信号処理および前記複数のグループ信号処理のうちから選択され、前記対象信号処理が前記複数のグループ信号処理のうちから選択された場合には前記対象音声信号が前記複数のグループにグループ化された音声信号のうちから選択されるようにした構成を有している。
【００１９】
この構成により、各グループにグループ化された音声信号のうちから選択された音声信号に施される選択された信号処理のパラメータを一括して変更する情報を入力させるため、音響調整卓の特定の信号処理のパラメータを特定のグループにグループ化された音声信号に限定して同時にパラメータ変更を行うことができる。
【００２０】
また、本発明のパラメータ設定機能拡張装置は、前記音響調整卓によって前記複数のチャンネルより入力された音声信号が複数のグループにグループ化され、前記複数のグループにグループ化された音声信号ごとに複数のグループ信号処理が施され、前記パラメータ設定情報が前記複数のグループ信号処理のパラメータを前記複数のグループにグループ化された音声信号ごとに設定する情報を含む場合に、前記対象信号処理が前記複数のチャンネル信号処理および前記複数のグループ信号処理のうちから選択され、前記対象信号処理が前記複数のグループ信号処理のうちから選択された場合には、前記パラメータ信号別変更情報が、前記対象信号処理のパラメータを前記複数のグループにグループ化された音声信号ごとに変更する情報よりなるようにした構成を有している。
【００２１】
この構成により、音響調整卓の信号処理のうちから選択された信号処理のパラメータを各グループにグループ化された音声信号ごとに変更する情報を入力させ格納するため、音響調整卓の全ての信号処理の全てのパラメータの設定を表すパラメータ設定情報を格納するよりも少ないデータ量のパラメータ情報を個別に格納し管理することができる。
【００２２】
また、本発明のパラメータ設定機能拡張装置は、前記音響調整卓によって前記複数のグループにグループ化された音声信号が複数のマトリクスにグループ化され、前記複数のマトリクスにグループ化された音声信号ごとに複数のマトリクス信号処理が施され、前記パラメータ設定情報が前記複数のマトリクス信号処理のパラメータを前記複数のマトリクスにグループ化された音声信号ごとに設定する情報を含む場合に、前記対象信号処理が前記複数のチャンネル信号処理、前記複数のグループ信号処理および前記複数のマトリクス信号処理のうちから選択され、前記対象信号処理が前記複数のマトリクス信号処理のうちから選択された場合には前記対象音声信号が前記複数のマトリクスにグループ化された音声信号のうちから選択されるようにした構成を有している。
【００２３】
この構成により、各マトリクスにグループ化された音声信号のうちから選択された音声信号に施される選択された信号処理のパラメータを一括して変更する情報を入力させるため、音響調整卓の特定の信号処理のパラメータを特定のマトリクスにグループ化された音声信号に限定して同時にパラメータ変更を行うことができる。
【００２４】
また、本発明のパラメータ設定機能拡張装置は、前記音響調整卓によって前記複数のグループにグループ化された音声信号が複数のマトリクスにグループ化され、前記複数のマトリクスにグループ化された音声信号ごとに複数のマトリクス信号処理が施され、前記パラメータ設定情報が前記複数のマトリクス信号処理のパラメータを前記複数のマトリクスにグループ化された音声信号ごとに設定する情報を含む場合に、前記対象信号処理が前記複数のチャンネル信号処理、前記複数のグループ信号処理および前記複数のマトリクス信号処理のうちから選択され、前記対象信号処理が前記複数のグループ信号処理のうちから選択された場合には、前記パラメータ信号別変更情報が、前記対象信号処理のパラメータを前記複数のマトリクスにグループ化された音声信号ごとに変更する情報よりなるようにしたようにした構成を有している。
【００２５】
この構成により、音響調整卓の信号処理のうちから選択された信号処理のパラメータを各マトリクスにグループ化された音声信号ごとに変更する情報を入力させ格納するため、音響調整卓の全ての信号処理の全てのパラメータの設定を表すパラメータ設定情報を格納するよりも少ないデータ量のパラメータ情報を個別に格納し管理することができる。
【００２６】
また、本発明のパラメータ設定機能拡張装置は、前記信号処理選択手段によって選択される前記対象信号処理が、音声信号の振幅値を０にするか否かの選択処理よりなるようにした構成を有している。
【００２７】
この構成により、音声信号の振幅値を０にするか否かの選択処理のパラメータを一括して変更する情報を生成させるため、音声信号の振幅値を０にするか否かの選択処理のパラメータを特定の音声信号に限定して同時にパラメータ変更を行うことができる。
【００２８】
また、本発明のパラメータ設定機能拡張装置は、前記信号処理選択手段によって選択される前記対象信号処理が、音声信号の音量調整処理よりなるようにした構成を有している。
【００２９】
この構成により、音声信号の音量調整処理のパラメータを一括して変更する情報を生成させるため、音声信号の音量調整処理のパラメータを特定の音声信号に限定して同時にパラメータ変更を行うことができる。
【００３０】
また、本発明のパラメータ設定機能拡張装置は、前記信号処理選択手段によって選択される前記対象信号処理が、音声信号の周波数帯域ごとのレベル調整処理よりなるようにした構成を有している。
【００３１】
この構成により、音声信号の周波数帯域ごとのレベル調整処理のパラメータを一括して変更する情報を生成させるため、音声信号の周波数帯域ごとのレベル調整処理のパラメータを特定の音声信号に限定して同時にパラメータ変更を行うことができる。
【００３２】
また、本発明のパラメータ設定機能拡張装置は、前記信号処理選択手段によって選択される前記対象信号処理が、音声信号のダイナミクスの調整処理よりなるようにした構成を有している。
【００３３】
この構成により、音声信号のダイナミクスの調整処理のパラメータを一括して変更する情報を生成させるため、音声信号のダイナミクスの調整処理のパラメータを特定の音声信号に限定して同時にパラメータ変更を行うことができる。
【００３４】
また、本発明のパラメータ設定機能拡張装置は、前記信号処理選択手段によって選択される前記対象信号処理が、音声信号に音量調整処理と周波数帯域ごとのレベル調整処理とダイナミクスの調整処理とのうちの少なくとも１つ以上の調整処理が施される前の音声信号を検聴するか否かの選択処理よりなるようにした構成を有している。
【００３５】
この構成により、音声信号に音量調整処理と周波数帯域ごとのレベル調整処理とダイナミクスの調整処理とのうちの少なくとも１つ以上の調整処理が施される前の音声信号を検聴するか否かの選択処理のパラメータを一括して変更する情報を生成させるため、音声信号に音量調整処理と周波数帯域ごとのレベル調整処理とダイナミクスの調整処理とのうちの少なくとも１つ以上の調整処理が施される前の音声信号を検聴するか否かの選択処理のパラメータを特定の音声信号に限定して同時にパラメータ変更を行うことができる。
【００３６】
また、本発明のパラメータ設定機能拡張装置は、前記信号処理選択手段によって選択される前記対象信号処理が、音声信号に音量調整処理と周波数帯域ごとのレベル調整処理とダイナミクスの調整処理とのうちの少なくとも１つ以上の調整処理が施された後の音声信号を検聴するか否かの選択処理よりなるようにした構成を有している。
【００３７】
この構成により、音声信号に音量調整処理と周波数帯域ごとのレベル調整処理とダイナミクスの調整処理とのうちの少なくとも１つ以上の調整処理が施された後の音声信号を検聴するか否かの選択処理のパラメータを一括して変更する情報を生成させるため、音声信号に音量調整処理と周波数帯域ごとのレベル調整処理とダイナミクスの調整処理とのうちの少なくとも１つ以上の調整処理が施された後の音声信号を検聴するか否かの選択処理のパラメータを特定の音声信号に限定して同時にパラメータ変更を行うことができる。
【００３８】
また、本発明のパラメータ設定機能拡張装置は、前記信号処理選択手段によって前記複数のチャンネル信号処理のうちから選択される前記対象信号処理が、音声信号を前記複数のグループのうち何れのグループにグループ化させるかの選択処理よりなるようにした構成を有している。
【００３９】
この構成により、音声信号を前記複数のグループのうち何れのグループにグループ化させるかの選択処理のパラメータを一括して変更する情報を生成させるため、音声信号を前記複数のグループのうち何れのグループにグループ化させるかの選択処理のパラメータを特定の音声信号に限定して同時にパラメータ変更を行うことができる。
【００４０】
また、本発明のパラメータ設定機能拡張装置は、前記信号処理選択手段によって前記複数のグループ信号処理のうちから選択される前記対象信号処理が、音声信号を前記複数のマトリクスのうち何れのマトリクスにグループ化させるかの選択処理よりなるようにした構成を有している。
【００４１】
この構成により、音声信号を前記複数のマトリクスのうち何れのマトリクスにグループ化させるかの選択処理のパラメータを一括して変更する情報を生成させるため、音声信号を前記複数のマトリクスのうち何れのマトリクスにグループ化させるかの選択処理のパラメータを特定の音声信号に限定して同時にパラメータ変更を行うことができる。
【００４２】
また、本発明のパラメータ設定機能拡張装置は、前記信号処理選択手段によって前記複数のマトリクス信号処理のうちから選択される前記対象信号処理が、前記複数のマトリクスにグループ化させる音声信号を何れのチャンネルより入力され何れのグループにグループ化された音声信号とするかの選択処理よりなるようにした構成を有している。
【００４３】
この構成により、前記複数のマトリクスにグループ化させる音声信号を何れのチャンネルより入力され何れのグループにグループ化された音声信号とするかの選択処理のパラメータを一括して変更する情報を生成させるため、前記複数のマトリクスにグループ化させる音声信号を何れのチャンネルより入力され何れのグループにグループ化された音声信号とするかの選択処理のパラメータを特定の音声信号に限定して同時にパラメータ変更を行うことができる。
【００４４】
【発明の実施の形態】
以下、本発明の実施の形態について、図面を参照して説明する。
図１は、本発明の実施の形態のパラメータ設定機能拡張装置１００の構成を示すブロック図である。
パラメータ設定機能拡張装置１００は、複数のチャンネルより入力された音声信号のそれぞれに複数のチャンネル信号処理を施す音響調整卓１０と通信を行う第１の通信手段１１０と、複数のチャンネル信号処理のパラメータを複数のチャンネルより入力された音声信号ごとに設定するパラメータ設定情報を生成および保持するパラメータ設定装置２０と通信を行う第２の通信手段１２０と、複数のチャンネル信号処理のうち１つの対象信号処理を選択させる信号処理選択手段１３０と、複数のチャンネルより入力された音声信号のうち１つ以上の対象音声信号を選択させる音声信号選択手段１４０と、対象音声信号に施される対象信号処理のパラメータを一括して変更するパラメータ一括変更情報を入力させる一括変更情報入力手段１５０と、対象信号処理のパラメータを複数のチャンネルより入力された音声信号ごとに変更するパラメータ信号別変更情報を入力させる信号別変更情報入力手段１６０と、パラメータ信号別変更情報を格納する信号別変更情報格納手段１７０とによって構成される。
【００４５】
ここで、信号処理選択手段１３０、音声信号選択手段１４０、一括変更情報入力手段１５０および信号別変更情報入力手段１６０は、グラフィカルユーザインターフェイス（Ｇｒａｐｈｉｃａｌ  Ｕｓｅｒ  Ｉｎｔｅｒｆａｃｅ、ＧＵＩ）と、ＧＵＩを表示する表示手段と、ＧＵＩに応じてユーザによって情報が入力される情報入力手段とによって構成される。
【００４６】
音響調整卓１０は、複数のチャンネルより入力されたそれぞれの音声信号に複数の信号処理を施し、複数のチャンネルより入力された音声信号を複数のグループにグループ化してグループ化された音声信号ごとに複数の信号処理を施し、複数のグループにグループ化され信号処理が施された音声信号を複数のマトリクスにグループ化してグループ化された音声信号ごとに複数の信号処理を施すようになっている。
【００４７】
また、音響調整卓１０は、複数のマトリクスによってグループ化された音声信号を外部に出力するようになっている。
【００４８】
複数のチャンネル信号処理は、入力された音声信号の振幅値を０にするか否かの選択処理、入力された音声信号の音量調整処理、入力された音声信号の周波数帯域ごとのレベル調整処理、入力された音声信号のダイナミクスの調整処理、音声信号に音量調整処理と周波数帯域ごとのレベル調整処理とダイナミクスの調整処理とのうちの少なくとも１つ以上の調整処理が施される前の音声信号を検聴するか否かの選択処理、入力された音声信号に音量調整処理と周波数帯域ごとのレベル調整処理とダイナミクスの調整処理とのうちの少なくとも１つ以上の調整処理が施された後の音声信号を検聴するか否かの選択処理、および入力された音声信号を複数のグループのうち何れのグループにグループ化させるかの選択処理を含む。
【００４９】
音響調整卓１０の複数のグループによってグループ化されたそれぞれの音声信号に施される複数のグループ信号処理は、グループ化された音声信号の振幅値を０にするか否かの選択処理、グループ化された音声信号の音量調整処理、グループ化された音声信号の周波数帯域ごとのレベル調整処理、グループ化された音声信号のダイナミクスの調整処理、グループ化された音声信号のダイナミクスの調整処理、音声信号に音量調整処理と周波数帯域ごとのレベル調整処理とダイナミクスの調整処理とのうちの少なくとも１つ以上の調整処理が施される前の音声信号を検聴するか否かの選択処理、グループ化された音声信号に音量調整処理と周波数帯域ごとのレベル調整処理とダイナミクスの調整処理とのうちの少なくとも１つ以上の調整処理が施された後の音声信号を検聴するか否かの選択処理、およびグループ化された音声信号を複数のマトリクスのうち何れのマトリクスにグループ化させるかの選択処理を含む。
【００５０】
音響調整卓１０の複数のマトリクスによってグループ化されたそれぞれの音声信号に施される複数のマトリクス信号処理は、グループ化された音声信号の振幅値を０にするか否かの選択処理、グループ化された音声信号の音量調整処理、グループ化された音声信号の周波数帯域ごとのレベル調整処理、グループ化された音声信号のダイナミクスの調整処理、グループ化された音声信号のダイナミクスの調整処理、音声信号に音量調整処理と周波数帯域ごとのレベル調整処理とダイナミクスの調整処理とのうちの少なくとも１つ以上の調整処理が施される前の音声信号を検聴するか否かの選択処理、グループ化された音声信号に音量調整処理と周波数帯域ごとのレベル調整処理とダイナミクスの調整処理とのうちの少なくとも１つ以上の調整処理が施された後の音声信号を検聴するか否かの選択処理、および複数のマトリクスにグループ化させる音声信号を何れのチャンネルより入力され何れのグループにグループ化された音声信号とするかの選択処理を含む。
【００５１】
パラメータ設定装置２０は、ＧＵＩを備え、ＧＵＩを介してユーザに複数のチャンネル信号処理のパラメータを複数のチャンネルより入力された音声信号ごとに設定するパラメータ設定情報を入力させ保持するようになっている。
【００５２】
また、パラメータ設定装置２０は、入力されたパラメータ設定情報をパラメータ設定機能拡張装置１００を介して音響調整卓１０に出力するようになっている。
【００５３】
また、パラメータ設定装置２０は、生成されたパラメータ設定情報を保存するようになっている。さらに、パラメータ設定装置２０は、保存されたパラメータ設定情報を呼出し、呼出されたパラメータ設定情報を音響調整卓１０に出力するようになっている。
【００５４】
第１の通信手段１１０には、一括変更情報入力手段１５０によって出力されたパラメータ一括変更情報が入力されるようになっており、第１の通信手段１１０は、入力されたパラメータ一括変更情報を音響調整卓１０に送信するようになっている。
【００５５】
また、第１の通信手段１１０には、信号別変更情報入力手段１６０によって出力されたパラメータ信号別変更情報要求が入力されるようになっており、第１の通信手段１１０は、入力されたパラメータ信号別変更情報要求を音響調整卓１０に送信するようになっている。さらに、第１の通信手段１１０には、音響調整卓１０によって出力されたパラメータ信号別変更情報が入力されるようになっており、第１の通信手段１１０は、入力されたパラメータ信号別変更情報を信号別変更情報入力手段１６０に出力するようになっている。
【００５６】
また、第１の通信手段１１０には、信号別変更情報入力手段１６０によって出力されたパラメータ信号別変更情報が入力されるようになっており、第１の通信手段１１０は、入力されたパラメータ信号別変更情報を音響調整卓１０に送信するようになっている。
【００５７】
また、第１の通信手段１１０には、パラメータ設定装置２０によって送信されたパラメータ設定情報が第２の通信手段１２０を介して入力されるようになっており、第１の通信手段１１０は、入力されたパラメータ設定情報を音響調整卓１０に送信するようになっている。
【００５８】
第２の通信手段１２０には、一括変更情報入力手段１５０によって出力されたパラメータ一括変更情報が入力されるようになっており、第２の通信手段１２０は、入力されたパラメータ一括変更情報をパラメータ設定装置２０に送信するようになっている。
【００５９】
また、第２の通信手段１２０には、信号別変更情報入力手段１６０によって出力されたパラメータ信号別変更情報が入力されるようになっており、第２の通信手段１２０は、入力されたパラメータ信号別変更情報をパラメータ設定装置２０に送信するようになっている。
【００６０】
また、第２の通信手段１２０は、パラメータ設定装置２０によって送信されたパラメータ設定情報を受信し、受信されたパラメータ設定情報を第１の通信手段１１０に出力するようになっている。
【００６１】
信号処理選択手段１３０は、複数のチャンネル信号処理、複数のグループ信号処理および複数のマトリクス信号処理のうちの１つの対象信号処理を選択させるＧＵＩを表示してユーザに選択させ、選択された対象信号処理を表す対象信号処理情報を生成し、生成された対象信号処理情報を音声信号選択手段１４０、一括変更情報入力手段１５０および信号別変更情報入力手段１６０に出力するようになっている。
【００６２】
音声信号選択手段１４０には、信号処理選択手段１３０によって出力された対象信号処理情報が入力されるようになっており、音声信号選択手段１４０は、入力された対象信号処理情報に基いて、対象信号処理が複数のチャンネル信号処理、複数のグループ信号処理および複数のマトリクス信号処理うちの何れから選択された信号処理であるかの判定を行うようになっている。
【００６３】
上述の判定の結果、対象信号処理が複数のチャンネル信号処理のうちから選択された信号処理である場合に、音声信号選択手段１４０は、複数のチャンネルより入力される音声信号のうちの少なくとも１つ以上の対象音声信号を選択させるＧＵＩを表示してユーザに選択させ、選択された対象音声信号を表す対象音声信号情報を生成し、生成された対象音声信号情報を一括変更情報入力手段１５０に出力するようになっている。
【００６４】
上述の判定の結果、対象信号処理が複数のグループ信号処理のうちから選択された信号処理である場合に、音声信号選択手段１４０は、複数のグループにグループ化された音声信号のうちの少なくとも１つ以上の対象音声信号を選択させるＧＵＩを表示してユーザに選択させ、選択された対象音声信号を表す対象音声信号情報を生成し、生成された対象音声信号情報を一括変更情報入力手段１５０に出力するようになっている。
【００６５】
上述の判定の結果、対象信号処理が複数のマトリクス信号処理のうちから選択された信号処理である場合に、音声信号選択手段１４０は、複数のマトリクスにグループ化された音声信号のうちの少なくとも１つ以上の対象音声信号を選択させるＧＵＩを表示してユーザに選択させ、選択された対象音声信号を表す対象音声信号情報を生成し、生成された対象音声信号情報を一括変更情報入力手段１５０に出力するようになっている。
【００６６】
一括変更情報入力手段１５０には、信号処理選択手段１３０によって出力された対象信号処理情報および音声信号選択手段１４０によって出力された対象音声信号情報が入力されるようになっている。
【００６７】
一括変更情報入力手段１５０は、入力された対象信号処理情報および対象音声信号情報に応じて、対象音声信号に施される対象信号処理のパラメータを一括して変更するパラメータ一括変更情報を入力させるＧＵＩを表示してユーザに入力させ、入力されたパラメータ一括変更情報を第１の通信手段１１０および第２の通信手段１２０に出力するようになっている。
【００６８】
信号別変更情報入力手段１６０には、信号処理選択手段１３０によって出力された対象信号処理情報が入力されるようになっている。信号別変更情報入力手段１６０は、入力された対象信号処理情報に基いて、対象信号処理が複数のチャンネル信号処理、複数のグループ信号処理および複数のマトリクス信号処理うちの何れから選択された信号処理であるかの判定を行うようになっている。
【００６９】
上述の判定の結果、対象信号処理が複数のチャンネル信号処理のうちから選択された信号処理である場合に、信号別変更情報入力手段１６０は、対象信号処理のパラメータを複数のチャンネルより入力された音声信号ごとに変更するパラメータ信号別変更情報を入力させるＧＵＩを表示してユーザに入力させるようになっている。
【００７０】
上述の判定の結果、対象信号処理が複数のグループ信号処理のうちから選択された信号処理である場合に、信号別変更情報入力手段１６０は、対象信号処理のパラメータを複数のグループにグループ化された音声信号ごとに変更するパラメータ信号別変更情報を入力させるＧＵＩを表示してユーザに入力させるようになっている。
【００７１】
上述の判定の結果、対象信号処理が複数のマトリクス信号処理のうちから選択された信号処理である場合に、信号別変更情報入力手段１６０は、対象信号処理のパラメータを複数のマトリクスにグループ化された音声信号ごとに変更するパラメータ信号別変更情報を入力させるＧＵＩを表示してユーザに入力させるようになっている。
【００７２】
また、信号別変更情報入力手段１６０は、入力されたパラメータ信号別変更情報を信号別変更情報格納手段１７０に格納するか否かを選択させるＧＵＩを表示してユーザに選択させ、パラメータ信号別変更情報の格納がユーザによって選択された場合には、入力されたパラメータ信号別変更情報を信号別変更情報入力手段１６０に格納するようになっている。
【００７３】
また、信号別変更情報入力手段１６０は、入力されたパラメータ信号別変更情報を音響調整卓１０およびパラメータ設定装置２０に送信するか否かを選択させるＧＵＩを表示してユーザに選択させ、パラメータ信号別変更情報の送信がユーザによって選択された場合には、入力されたパラメータ信号別変更情報を音響調整卓１０およびパラメータ設定装置２０に送信するようになっている。
【００７４】
また、信号別変更情報入力手段１６０は、音響調整卓１０にパラメータ信号別変更情報を要求するか否かを選択させるＧＵＩを表示してユーザに選択させ、パラメータ信号別変更情報を要求することをユーザによって選択された場合には、音響調整卓１０にパラメータ信号別変更情報を要求するパラメータ信号別変更情報要求を第１の通信手段１１０に出力するようになっている。
【００７５】
また、信号別変更情報入力手段１６０は、信号別変更情報格納手段１７０に格納されたパラメータ信号別変更情報を呼出すか否かを選択させるＧＵＩを表示してユーザに選択させ、信号別変更情報格納手段１７０に格納されたパラメータ信号別変更情報を呼出すと選択された場合には、信号別変更情報格納手段１７０に格納されたパラメータ信号別変更情報のうちの何れかを選択させるＧＵＩを表示してユーザに選択させ、選択されたパラメータ信号別変更情報を呼出し、呼出されたパラメータ信号別変更情報を音響調整卓１０およびパラメータ設定装置２０に送信するか否かを選択させるＧＵＩを表示してユーザに選択させ、呼出されたパラメータ信号別変更情報を音響調整卓１０およびパラメータ設定装置２０に送信すると選択された場合には、呼出されたパラメータ信号別変更情報を第１の通信手段１１０および第２の通信手段１２０に出力するようになっている。
【００７６】
以下、本発明の実施の形態のパラメータ設定機能拡張装置１００の動作について説明する。
図２は、本発明の実施の形態のパラメータ設定機能拡張装置１００のパラメータ一括変更情報を入力させる動作の流れを示すフローチャートである。
【００７７】
まず、信号処理選択手段１３０のＧＵＩを介して複数のチャンネル信号処理、複数のグループ信号処理および複数のマトリクス信号処理のうちの１つの対象信号処理がユーザによって選択される（Ｓ２１０）。
【００７８】
次に、対象信号処理が複数のチャンネル信号処理、複数のグループ信号処理および複数のマトリクス信号処理うちの何れから選択された信号処理であるかの判定が音声信号選択手段１４０によって行われ、対象信号処理が複数のチャンネル信号処理のうちから選択された信号処理である場合には音声信号選択手段１４０のＧＵＩを介して複数のチャンネルより入力される音声信号のうちから対象音声信号がユーザによって選択され、対象信号処理が複数のグループ信号処理のうちから選択された信号処理である場合には音声信号選択手段１４０のＧＵＩを介して複数のグループによってグループ化された音声信号のうちから対象音声信号がユーザによって選択され、対象信号処理が複数のマトリクス信号処理のうちから選択された信号処理である場合には音声信号選択手段１４０のＧＵＩを介して複数のマトリクスによってグループ化された音声信号のうちから対象音声信号がユーザによって選択される（Ｓ２２０）。
【００７９】
次いで、一括変更情報入力手段１５０のＧＵＩを介してパラメータ一括変更情報がユーザによって入力され（Ｓ２３０）、パラメータ一括変更情報が第１の通信手段１１０を介して音響調整卓１０に送信されることによって音響調整卓１０の対象信号処理のパラメータが一括して変更され（Ｓ２４０）、パラメータ一括変更情報が第２の通信手段１２０を介してパラメータ設定装置２０に送信されることによってパラメータ設定装置２０に保持されたパラメータ設定情報が変更される（Ｓ２５０）。
【００８０】
図３は、本発明の実施の形態のパラメータ設定機能拡張装置１００のパラメータ信号別変更情報を入力させる動作の流れを示すフローチャートである。
【００８１】
まず、信号処理選択手段１３０のＧＵＩを介して複数のチャンネル信号処理、複数のグループ信号処理および複数のマトリクス信号処理のうちの１つの信号処理がユーザによって選択される（Ｓ３１０）。
【００８２】
次に、信号処理選択手段１３０によって生成された対象信号処理情報に応じて、対象信号処理が複数のチャンネル信号処理、複数のグループ信号処理および複数のマトリクス信号処理うちの何れから選択された信号処理であるかの判定が信号別変更情報入力手段１６０によって行われ、対象信号処理が複数のチャンネル信号処理のうちから選択された信号処理である場合には、信号別変更情報入力手段１６０のＧＵＩを介して対象信号処理のパラメータを複数のチャンネルより入力された音声信号ごとに変更するパラメータ信号別変更情報がユーザによって入力され、対象信号処理が複数のグループ信号処理のうちから選択された信号処理である場合には、信号別変更情報入力手段１６０のＧＵＩを介して対象信号処理のパラメータを複数のグループにグループ化された音声信号ごとに変更するパラメータ信号別変更情報がユーザによって入力され、対象信号処理が複数のマトリクス信号処理のうちから選択された信号処理である場合には、信号別変更情報入力手段１６０のＧＵＩを介して対象信号処理のパラメータを複数のマトリクスにグループ化された音声信号ごとに変更するパラメータ信号別変更情報がユーザによって入力される（Ｓ３２０）。
【００８３】
パラメータ信号別変更情報が入力された後に、入力されたパラメータ信号別変更情報を信号別変更情報格納手段１７０に格納するか否かが信号別変更情報入力手段１６０のＧＵＩを介してユーザによって選択され（Ｓ３３０）、入力されたパラメータ信号別変更情報を信号別変更情報格納手段１７０に格納すると選択された場合には、入力されたパラメータ信号別変更情報が信号別変更情報格納手段１７０に格納される（Ｓ３４０）。
【００８４】
次いで、入力されたパラメータ信号別変更情報を音響調整卓１０およびパラメータ設定装置２０に送信するか否かが信号別変更情報入力手段１６０のＧＵＩを介してユーザによって選択され（Ｓ３５０）、パラメータ信号別変更情報を音響調整卓１０およびパラメータ設定装置２０に送信すると選択された場合には、入力されたパラメータ信号別変更情報が第１の通信手段１１０および第２の通信手段１２０に出力される（Ｓ３６０）。
【００８５】
パラメータ信号別変更情報が第１の通信手段１１０を介して音響調整卓１０に送信されることによって音響調整卓１０の対象信号処理のパラメータが音声信号ごとに変更され（Ｓ３７０）、パラメータ一括変更情報が第２の通信手段１２０を介してパラメータ設定装置２０に送信されることによってパラメータ設定装置２０に保持されたパラメータ設定情報が変更される（Ｓ３８０）。
【００８６】
図４は、本発明の実施の形態のパラメータ設定機能拡張装置１００における音響調整卓１０によって送信されたパラメータ信号別変更情報を格納する動作の流れを示すフローチャートである。
まず、ユーザによる音響調整卓１０へのパラメータ入力またはパラメータ設定装置２０よって出力されたパラメータ設定情報に基づいて、音響調整卓１０のパラメータが変更される（Ｓ４１０）。次に、入力されたパラメータ信号別変更情報を信号別変更情報格納手段１７０に格納するか否かが信号別変更情報入力手段１６０のＧＵＩを介してユーザによって選択される（Ｓ４２０）。
【００８７】
次に、入力されたパラメータ信号別変更情報を信号別変更情報格納手段１７０に格納することが選択された場合に、パラメータ信号別変更情報を要求するパラメータ信号別変更情報要求が信号別変更情報入力手段１６０から第１の通信手段１１０に出力され、第１の通信手段１１０によってパラメータ信号別変更情報要求が音響調整卓１０に送信される（Ｓ４３０）。
【００８８】
次いで、パラメータ信号別変更情報要求に応じて音響調整卓１０によって送信されたパラメータ信号別変更情報が第１の通信手段１１０によって受信され（Ｓ４４０）、受信されたパラメータ信号別変更情報が信号別変更情報入力手段１６０を介して信号別変更情報格納手段１７０に格納される（Ｓ４５０）。
【００８９】
図５は、本発明の実施の形態のパラメータ設定機能拡張装置１００の格納されたパラメータ信号別変更情報を呼出す動作の流れを示すフローチャートである。
なお、信号別変更情報格納手段１７０には、複数のパラメータ信号別変更情報が格納されているものとする。
【００９０】
まず、信号別変更情報格納手段１７０に格納されたパラメータ信号別変更情報を呼出すか否かが信号別変更情報入力手段１６０のＧＵＩを介してユーザによって選択され（Ｓ５１０）、信号別変更情報格納手段１７０に格納されたパラメータ信号別変更情報を呼出すと選択された場合には、信号別変更情報格納手段１７０に格納されたパラメータ信号別変更情報のうちの何れかが信号別変更情報入力手段１６０のＧＵＩを介してユーザによって選択され（Ｓ５２０）、選択されたパラメータ信号別変更情報が信号別変更情報入力手段１６０によって呼出される（Ｓ５３０）。
【００９１】
次に、呼出されたパラメータ信号別変更情報を音響調整卓１０およびパラメータ設定装置２０に送信するか否かが信号別変更情報入力手段１６０のＧＵＩを介してユーザによって選択され（Ｓ５４０）、呼出されたパラメータ信号別変更情報を音響調整卓１０およびパラメータ設定装置２０に送信すると選択された場合には、呼出されたパラメータ信号別変更情報が音響調整卓１０およびパラメータ設定装置２０に送信される（Ｓ５５０）。
【００９２】
パラメータ信号別変更情報が第１の通信手段１１０を介して音響調整卓１０に送信されることによって音響調整卓１０の対象信号処理のパラメータが音声信号ごとに変更され（Ｓ５６０）、パラメータ一括変更情報が第２の通信手段１２０を介してパラメータ設定装置２０に送信されることによってパラメータ設定装置２０に保持されたパラメータ設定情報が変更される（Ｓ５７０）。
【００９３】
以上説明したように、本発明の実施の形態のパラメータ設定機能拡張装置は、選択された音声信号に施される選択された信号処理のパラメータを一括して変更する情報を入力させるため、音響調整卓の特定の信号処理のパラメータを特定の音声信号に限定して同時にパラメータ変更を行うことができる。
また、音響調整卓の信号処理のうちから選択された信号処理のパラメータを各チャンネルに入力された音声信号ごと、各グループにグループ化された音声信号ごとまたは各マトリクスにグループ化された音声信号ごとに変更する情報を入力させ格納するため、音響調整卓の全ての信号処理の全てのパラメータの設定を表すパラメータ設定情報を格納するよりも少ないデータ量のパラメータ情報を個別に格納し管理することができ、さらに、格納された情報を呼出し音響調整卓に送信することもできる。
【００９４】
【発明の効果】
以上説明したように、本発明は、音響調整卓の信号処理のパラメータを細分化してパラメータ変更を行うことができるパラメータ設定機能拡張装置を提供することができるものである。
【図面の簡単な説明】
【図１】本発明の実施の形態のパラメータ設定機能拡張装置の構成を示すブロック図
【図２】本発明の実施の形態のパラメータ設定機能拡張装置のパラメータ一括変更情報を入力させる動作の流れを示すフローチャート
【図３】本発明の実施の形態のパラメータ設定機能拡張装置のパラメータ信号別変更情報を入力させる動作の流れを示すフローチャート
【図４】本発明の実施の形態のパラメータ設定機能拡張装置における音響調整卓によって送信されたパラメータ信号別変更情報を格納する動作の流れを示すフローチャート
【図５】本発明の実施の形態のパラメータ設定機能拡張装置の格納されたパラメータ信号別変更情報を呼出す動作の流れを示すフローチャート
【図６】従来の音響調整卓システムの構成を示すブロック図
【符号の説明】
１０、９１０  音響調整卓
２０、９２０  パラメータ設定装置
１００  パラメータ設定機能拡張装置
１１０  第１の通信手段
１２０  第２の通信手段
１３０  信号処理選択手段
１４０  音声信号選択手段
１５０  一括変更情報入力手段
１６０  信号別変更情報入力手段
１７０  信号別変更情報格納手段
９００  音響調整卓システム
９３０  外部装置
【図１】
2004198520.tif 000003
【図２】
2004198520.tif 000004
【図３】
2004198520.tif 000005
【図４】
2004198520.tif 000006
【図５】
2004198520.tif 000007
【図６】
2004198520.tif 000008